(57)【要約】  【課題】  特にトラバースメカ及びギア部の組み付け構造に関して、簡単な構成で、小型化，部品の簡素化，及び作業性改善を図ったディスク装置を提供する。  【解決手段】  トラバースメカ２の前部下側にシフトレバー７を取り付ける際には、メカシャーシ２ａの前部で左右計２個所の取付部に、ダンパー１３を予め取り付けておき、メカシャーシ２ａの前部右側の上記取付部周りより下方に円筒状に延びるスリーブ２ａａに、平ギア５ａを回転可能に嵌合させる。さらに、スリーブ２ａａの後方において下方に延びるボス２ａｂに、伝達手段５後部のフィード用ギア５ｂを回転可能に嵌合させ、下側よりビス２０を螺合して抜け止めを行う。この状態では、平ギア５ａがその後部をフィード用ギア５ｂにより支持され、抜け止めされている。【選択図】      図４
2007018664.tif 000002
【特許請求の範囲】
【請求項１】
装置本体に固定のシャーシと、モータの駆動により複数のギアを介して前記シャーシに
対して所定方向に昇降可能なトラバースメカと、光ピックアップを有するとともに前記ト
ラバースメカに設けられて前記モータの駆動により前記トラバースメカの昇降方向に略直
交する方向に移動可能なピックアップユニットとを備えたディスク装置であって、
前記トラバースメカの昇降の方向及び前記ピックアップユニットの移動方向に対して略
直交する方向に移動できるように前記シャーシに設けられたカムスライダーと、前記カム
スライダーとのカム係合により前記トラバースメカを昇降させるように前記トラバースメ
カに設けられたシフトレバーとを備えたディスク装置において、
前記複数のギアのうち、所定のギアを前記トラバースメカと前記シフトレバーとの間で
挟み込むようにして一体化し、前記シフトレバーを前記トラバースメカに取り付けるビス
と前記所定のギアとを同心とし、前記所定のギア以外のギアと前記シフトレバーに設けた
リブとにより、該所定のギアを支持するようにしてなり、
前記シフトレバーはダンパーを介して前記ビスにより前記トラバースメカに取り付けら
れるようにしてなることを特徴とするディスク装置。
【請求項２】
装置本体に固定のシャーシと、モータの駆動により複数のギアを介して前記シャーシに
対して所定方向に昇降可能なトラバースメカと、光ピックアップを有するとともに前記ト
ラバースメカに設けられて前記モータの駆動により前記トラバースメカの昇降方向に略直
交する方向に移動可能なピックアップユニットとを備えたディスク装置であって、
前記トラバースメカの昇降の方向及び前記ピックアップユニットの移動方向に対して略
直交する方向に移動できるように前記シャーシに設けられたカムスライダーと、前記カム
スライダーとのカム係合により前記トラバースメカを昇降させるように前記トラバースメ
カに設けられたシフトレバーとを備えたディスク装置において、
前記複数のギアのうち、所定のギアを前記トラバースメカと前記シフトレバーとの間で
挟み込むようにして一体化したことを特徴とするディスク装置。
【請求項３】
前記シフトレバーを前記トラバースメカに取り付けるビスと前記所定のギアとを同心と
したことを特徴とする請求項２に記載のディスク装置。
【請求項４】
前記所定のギア以外のギアと前記シフトレバーに設けたリブとにより、該所定のギアを
支持するようにしてなることを特徴とする請求項２又は請求項３のいずれかに記載のディ
スク装置。
【発明の詳細な説明】
【技術分野】
【０００１】
本発明は、ＣＤ，ＤＶＤ等のディスクに対して記録或いは再生を行うディスク装置に関
するものであり、特に、トラバースメカ及びギア部の組み付け構造に関するものである。
【背景技術】
【０００２】
従来より、ディスク装置として、ディスクを載置したディスクトレイを本体内に移動さ
せ、本体内に設けたディスクホルダ（クランパー）とターンテーブルとの間にディスクを
クランプして、ディスクに対して記録或いは再生を行うようにしたものが知られている。
さらに近年、装置の小型化，部品の簡素化や、組立時等における作業性改善を図ったもの
が、種々提案されてきている。
【０００３】
例えば、トラバースユニットの位置決めを正しく行うことができ、またディスク装置の
外部からの衝撃が伝わらないようにし、さらにディスク装置の外部からの退避位置におい
てもトラバースユニットの姿勢を安定させるようにしたものが、特許文献１に開示されて
いる。具体的には、トラバースユニットの一端側は緩衝部材を介して軸支し、他端側には
突起部を形成したホルダーを緩衝部材を介して取り付け、他端側近傍に設けたスライダー
のカム溝にホルダーの突起部を遊嵌してスライダーのスライドに伴ってトラバースユニッ
トは上下方向に揺動可能とし、また、ホルダーの両側にはリブを形成するとともに、その
リブを位置決め部材に形成した溝部に嵌めた構成としている。
【０００４】
また、トラバースメカと周辺部品との相対的距離及び平行度が容易に調整でき、不確定
要素による製品不良の発生を防ぐことができるとしたトラバースメカの支持機構が、特許
文献２に開示されている。具体的には、トラバースメカの少なくとも３ヶ所に防振部材を
設け、光ディスクドライブのベースに係合するねじ部を有する取り付け部材とストッパと
で防振部材を挟み込むようにしてトラバースメカをベース上に浮動支持し、取り付け部材
の回転に抵抗を与える加重部材をストッパとベースとの間に設けた構成としている。
【特許文献１】特開２００４−１５２３８８号公報
【特許文献２】特開２００４−７９０２４号公報
【発明の開示】
【発明が解決しようとする課題】
【０００５】
しかしながら、上記各特許文献に記載されているような構成では、緩衝部材或いは防振
部材を取り付けるスペース及び工程が必要であるので、その分だけ装置の小型化や作業性
改善に不利となる。本発明は、このような問題点に鑑み、特にトラバースメカ及びギア部
の組み付け構造に関して、簡単な構成で、小型化，部品の簡素化，及び作業性改善を図っ
たディスク装置を提供することを目的とする。
【課題を解決するための手段】
【０００６】
上記目的を達成するために、本発明では、装置本体に固定のシャーシと、モータの駆動
により複数のギアを介して前記シャーシに対して所定方向に昇降可能なトラバースメカと
、光ピックアップを有するとともに前記トラバースメカに設けられて前記モータの駆動に
より前記トラバースメカの昇降方向に略直交する方向に移動可能なピックアップユニット
とを備えたディスク装置であって、前記トラバースメカの昇降の方向及び前記ピックアッ
プユニットの移動方向に対して略直交する方向に移動できるように前記シャーシに設けら
れたカムスライダーと、前記カムスライダーとのカム係合により前記トラバースメカを昇
降させるように前記トラバースメカに設けられたシフトレバーとを備えたディスク装置に
おいて、前記複数のギアのうち、所定のギアを前記トラバースメカと前記シフトレバーと
の間で挟み込むようにして一体化したことを特徴とする。
【０００７】
また、前記シフトレバーを前記トラバースメカに取り付けるビスと前記所定のギアとを
同心としたことを特徴とする。また、前記所定のギア以外のギアと前記シフトレバーに設
けたリブとにより、該所定のギアを支持するようにしてなることを特徴とする。
【発明の効果】
【０００８】
本発明によれば、特にトラバースメカ及びギア部の組み付け構造に関して、簡単な構成
で、小型化，部品の簡素化，及び作業性改善を図ったディスク装置を提供することができ
る。
【０００９】
具体的には、トラバースメカにギア及びシフトレバーを取り付けて一体化する構成によ
り、ギアの外れ止めを行いつつ部品の小型化も可能となる。このとき、シフトレバーを取
り付けるビスと前記ギアとを同心とすることにより、より小型化の効果が得られる。また
、トラバースメカに予めシフトレバーを組み込んでおくことができるので、組立ライン上
での作業性を改善することが可能となる。
【発明を実施するための最良の形態】
【００１０】
以下、本発明の実施の形態について、図面を参照しながら説明する。
【実施例１】
【００１１】
図１は、本発明の実施例１に係るディスク装置のディスクローダーを示す図であり、ま
た図２は、同じディスク装置の主としてトラバースメカを示す図であって、それぞれ平面
図としている。このディスク装置は、ディスクを搬送するトレイ（不図示）と、トレイの
搬送方向（前後方向）に略垂直な方向に旋回して昇降可能なトラバースメカ２とがローダ
ーシャーシ１に設けられている。なお、ローダーシャーシ１は図示しない装置本体に固定
されている。
【００１２】
トラバースメカ２にはディスクの記録または再生を行う光ピックアップを有したピック
アップユニット３と、ピックアップユニット３をディスクの径方向に移動させるモータ４
とが設けられている。モータ４には複数の平ギアから成る伝達手段５が取り付けられてお
り、モータ４の駆動力を減速して伝達する。伝達手段５がピックアップユニット３に形成
されたラック（不図示）と噛合することにより、モータ４によってピックアップユニット
３が移動できるようになっている。
【００１３】
また、伝達手段５は前方のトレイギア８と噛合し、トレイギア８はトラバースメカ２の
前方でローダーシャーシ１側に配されたカムスライダー６と噛合可能になっている。カム
スライダー６は、トラバースメカ２の前部に設けられたシフトレバー７とカム係合し、ト
レイの搬送方向（前後方向）及びトラバースメカ２の昇降方向と略直交する方向（左右方
向）に移動できる。これにより、トラバースメカ２が昇降する。更に、トレイギア８はト
レイに形成されたラックと噛合可能になっており、所定の時期にトレイギア８とトレイと
が連結して、モータ４の駆動力がトレイに伝達されるようになっている。
【００１４】
上記構成のディスク装置において、トレイにディスクが載置されると、モータ４の駆動
によりトレイがディスクローダー内に搬送される。トレイが所定位置に配されると、トレ
イとトレイギア８との連結が解除され、カムスライダー６とトレイギア８とが連結される
。カムスライダー６はトレイの搬送方向に垂直な方向（左右方向）に移動し、トラバース
メカ２を上昇させる。これにより、トラバースメカ２がディスクに係合してディスクがチ
ャックされる。
【００１５】
ディスクのチャック部を具体的に説明すると、ローダーシャーシ１の上側に左右方向に
渡って略長板状のクランパーホルダー９が架設されており、その中央には略円板状のクラ
ンパー１０が回転自在に設けられている。一方、図示しないスピンドルモータにより回転
駆動されるターンテーブル１１が、トラバースメカ２から上方に突設している。上述した
ディスクのチャック時には、トラバースメカ２が上昇することによりディスクの中心孔が
ターンテーブル１１に嵌合し、更にトラバースメカ２が上昇することによりディスクがタ
ーンテーブル１１とクランパー１０との間に挟み込まれる。
【００１６】
ディスクがチャックされると、トレイギア８とカムスライダー６との連結が解除され、
伝達手段５はピックアップユニット３と連結される。これにより、ピックアップユニット
３がディスクの径方向へ移動可能になり、ディスクの所定位置で記録または再生を行うこ
とができる。また、ディスクを取り出す際には上記と逆の動作が行われる。以下に、本発
明のディスク装置のトラバースメカにおける組立構造を説明する。
【００１７】
図３は、トラバースメカにシフトレバーを取り付ける工程を示す上側斜視図である。同
図に示すように、トラバースメカ２の前部下側に、シフトレバー７を取り付ける。具体的
には、トラバースメカ２の前部で左右計２個所の取付部に、ダンパー１３を介してビス１
２を上側から挿入し、下側のシフトレバー７を螺合により固定する。このとき、右側の取
付部では伝達手段５前部の平ギア５ａをトラバースメカ２とシフトレバー７との間で挟み
込むようになっている。なお、平ギア５ａは上記トレイギア８と噛み合う。
【００１８】
図４はトラバースメカ前部の分解斜視図であり、図５は分解右側面図である。各図にお
いて、トラバースメカ２の前部下側にシフトレバー７を取り付ける際には、まず、メカシ
ャーシ２ａの前部で左右計２個所の取付部に、ダンパー１３を予め取り付けておき、続い
て、メカシャーシ２ａの前部右側の上記取付部周りより下方に円筒状に延びるスリーブ２
ａａに、平ギア５ａを回転可能に嵌合させる。さらに、スリーブ２ａａの後方において下
方に延びるボス２ａｂに、伝達手段５後部のフィード用ギア５ｂを回転可能に嵌合させ、
下側よりビス２０を螺合して抜け止めを行う。
【００１９】
この状態では、フィード用ギア５ｂの上部にある中径歯車部５ｂｃが平ギア５ａと噛み
合っている。また、フィード用ギア５ｂの中部にある大径歯車部５ｂａは、平ギア５ａの
下側に位置している。さらに、フィード用ギア５ｂの下部には、小径歯車部５ｂｂが設け
られている。各歯車部は同心で配置され、一体で回転可能である。以上の状態では、平ギ
ア５ａがその後部をフィード用ギア５ｂにより支持され、抜け止めされている。
【００２０】
フィード用ギア５ｂの大径歯車部５ｂａは、上記モータ４の回転軸に取り付けられた図
示しない駆動ギアと噛み合って回転駆動される。そして、これに連動して回転する中径歯
車部５ｂｃが平ギア５ａを回転駆動する。また、同じく連動して回転する小径歯車部５ｂ
ｂは、上記ピックアップユニット３に設けられたラック組立Ｒ（図３参照）と噛み合って
これを駆動する。
【００２１】
さて、シフトレバー７の左右両端近傍には、上面に円柱状の支柱７ｃが設けられており
、それぞれの上端よりボス７ｄが同心状に突設している。シフトレバー７の取付時には、
メカシャーシ２ａの取付部に予め取り付けていた上記ダンパー１３を、それぞれ左右のボ
ス７ｄに填め込む。このとき、支柱７ｃの上端がダンパー受け面となる。そして、ビス１
２を上側から挿入し、ボス７ｄにダンパー１３をネジ止めする。これにより、シフトレバ
ー７がダンパー１３を介してメカシャーシ２ａに取り付けられる。
【００２２】
このとき、平ギア５ａの下面より突設するスリーブ５ａｂの下端が、シフトレバー７右
側の支柱７ｃ外周より左右及び前方に放射状に突設するリブ７ｅの各上端に当接する。こ
のようにして、平ギア５ａは、リブ７ｅにより左右及び前部を支持され、後部をフィード
用ギア５ｂにより支持されるので、安定して回転可能となる。なお、リブ７ｅの形状は限
定されるものではなく、例えば支柱７ｃを取り囲むリング状等としても構わない。
【００２３】
以上説明したように、本発明によれば、トラバースメカにギア及びシフトレバーを取り
付けて一体化する構成により、ギアの外れ止めを行いつつ部品の小型化も可能となる。こ
のとき、シフトレバーを取り付けるビスと前記ギアとを同心とすることにより、より小型
化の効果が得られる。また、トラバースメカに予めシフトレバーを組み込んでおくことが
できるので、組立ライン上での作業性を改善することが可能となる。
【図面の簡単な説明】
【００２４】
【図１】本発明の実施例１に係るディスク装置のディスクローダーを示す図。
【図２】ディスク装置の主としてトラバースメカを示す図。
【図３】トラバースメカにシフトレバーを取り付ける工程を示す上側斜視図
【図４】トラバースメカ前部の分解斜視図。
【図５】トラバースメカ前部の分解右側面図。
【符号の説明】
【００２５】
１    ローダーシャーシ
２    トラバースメカ
３    ピックアップユニット
４    モータ
５    伝達手段
６    カムスライダー
７    シフトレバー
８    トレイギア
９    クランパーホルダー
１０    クランパー
１１    ターンテーブル
１２    ビス
１３    ダンパー
【図１】
2007018664.tif 000003
【図２】
2007018664.tif 000004
【図３】
2007018664.tif 000005
【図４】
2007018664.tif 000006
【図５】
2007018664.tif 000007